(57)【特許請求の範囲】
【請求項１】
室内の壁面に設置可能とされ、異なる方向を向く複数の外周面で囲まれて構成された照明装置本体と、
前記照明装置本体の各外周面の外周側を向くようにそれぞれが前記照明装置本体に配設され、その各外周面の外周側に向けてそれぞれが異なる方向へ照明する複数のＬＥＤ照明と、
前記照明装置本体に設けられ、カーテンが取り付け可能なカーテンレールと、
を備え、
前記複数のＬＥＤ照明の少なくとも１つは、前記カーテンレールに取り付けられた場合におけるカーテンへ光を照射可能な位置に配置されたカーテン照射用照明とされている
照明装置。
【請求項２】
前記複数のＬＥＤ照明の少なくとも１つの光照射側でそのＬＥＤ照明を覆うように前記照明装置本体に設けられ、前記ＬＥＤ照明の光を透過する透過部材を備える請求項１に記載の照明装置。
【請求項３】
前記複数のＬＥＤ照明は、
一方のＬＥＤ照明が、前記各外周面としての下面において下方を向くように前記照明装置本体に配設され、下方へ照明し、
他方のＬＥＤ照明が、前記各外周面としての上面において上方を向くように、かつ、前記一方のＬＥＤ照明に対して水平方向にずれて前記照明装置本体に配設され、上方へ照明する請求項１又は請求項２に記載の照明装置。
【請求項４】
前記一方のＬＥＤ照明は、前記照明装置本体において前記壁面へ設置される設置部側に配設され、
前記他方のＬＥＤ照明は、前記照明装置本体において前記設置部から離れた側に配設されている請求項３に記載の照明装置。
【請求項５】
前記照明装置本体の各外周面に対して内周側にそれぞれが引っ込んだ複数の段部が、前記照明装置本体に形成され、
前記複数のＬＥＤ照明は、前記複数の段部のそれぞれに配設されている請求項１〜４のいずれか１項に記載の照明装置。
【請求項６】
前記照明装置本体は、平面視にてＬ字状に形成され、前記室内のコーナー部の壁面に設置可能とされている請求項１〜５のいずれか１項に記載の照明装置。
【請求項７】
前記照明装置本体は、平面視にてＬ字状に形成され前記室内のコーナー部の壁面に設置可能とされた第１照明装置本体と、前記第１照明装置本体に連結され前記室内の平面状の壁面に対して前記第１照明装置本体に連続して設置可能とされた第２照明装置本体と、を有して構成されている請求項１〜６のいずれか１項に記載の照明装置。
【請求項８】
複数の前記ＬＥＤ照明のうち、点灯するＬＥＤ照明を選択可能な選択手段を備える請求項１〜７のいずれか１項に記載の照明装置。
【請求項９】
前記ＬＥＤ照明は、寒色系の光を発する寒色系光源と、暖色系の光を発する暖色系光源と、を有し、
前記寒色系光源及び前記暖色系光源のうち、点灯する光源を選択可能な選択手段を備える請求項１〜８のいずれか１項に記載の照明装置。
【発明の詳細な説明】
【技術分野】
【０００１】
本発明は、室内を照明する照明装置に関する。
【背景技術】
【０００２】
室内を照明する照明装置としては、特許文献１に開示される照明装置が公知である。特許文献１の照明装置では、天井面に沿って配置される上板と、壁面に当接してこれに取付けられた背板と、この背板の下端部に直交して設けられた底板とが横断面略コ字状に形成され、上板と底板との間に照明が設けられている。照明は、上板と底板との間から灯りがもれることによって、間接照明として機能する。
【先行技術文献】
【特許文献】
【０００３】
【特許文献１】特開平７−１８０３３６号公報
【発明の概要】
【発明が解決しようとする課題】
【０００４】
しかしながら、特許文献１の照明装置では、照明が１つしか設けられておらず、室内の一方にのみ光を照射する。また、特許文献１の照明装置では、照明が隠れるように、底板の覆い板部が配置されているので、照明が照明する範囲が規制され、室内の狭い範囲でしか照明できない。
【０００５】
本発明は、上記事実を考慮し、室内のより広い範囲に対して広がりをもって照明することができる照明装置を提供することを目的とする。
【課題を解決するための手段】
【０００６】
本発明の請求項１に係る照明装置は、室内の壁面に設置可能とされ、異なる方向を向く複数の外周面で囲まれて構成された照明装置本体と、前記照明装置本体の各外周面の外周側を向くようにそれぞれが前記照明装置本体に配設され、その各外周面の外周側に向けてそれぞれが異なる方向へ照明する複数のＬＥＤ照明と、前記照明装置本体に設けられ、カーテンが取り付け可能なカーテンレールと、を備え、前記複数のＬＥＤ照明の少なくとも１つは、前記カーテンレールに取り付けられた場合におけるカーテンへ光を照射可能な位置に配置されたカーテン照射用照明とされている。
【０００７】
この構成によれば、異なる方向を向く各外周面の外周側を向くように、各ＬＥＤ照明が照明装置本体に配設されており、その各ＬＥＤ照明が、照明装置本体の外周側に向けて異なる方向へ照明する。これにより、１つの照明により室内の一方にのみ光を照明する構成に比べて、室内のより広い範囲に対して広がりをもって照明することができる。
また、請求項１の構成によれば、カーテンレールに取り付けられたカーテンに光を照射してそのカーテンを明るくすることで、薄手のカーテンを用いた場合であっても、外側から室内を見にくくすることができる。
【０００８】
本発明の請求項２に係る照明装置は、前記複数のＬＥＤ照明の少なくとも１つの光照射側でそのＬＥＤ照明を覆うように前記照明装置本体に設けられ、前記ＬＥＤ照明の光を透過する透過部材を備える。
【０００９】
この構成によれば、ＬＥＤ照明からの光が透過部材を透過するので、透過部材によって光をやわらげたり、拡散させたりすることができる。また、ＬＥＤ照明が透過部材で覆われるので、ＬＥＤ照明にほこり等が溜まりにくい。
【００１０】
本発明の請求項３に係る照明装置は、前記複数のＬＥＤ照明は、一方のＬＥＤ照明が、前記各外周面としての下面において下方を向くように前記照明装置本体に配設され、下方へ照明し、他方のＬＥＤ照明が、前記各外周面としての上面において上方を向くように、かつ、前記一方のＬＥＤ照明に対して水平方向にずれて前記照明装置本体に配設され、上方へ照明する。
この構成によれば、一方のＬＥＤ照明は、下方へ照明する。また、他方のＬＥＤ照明は、一方のＬＥＤ照明に対して水平方向にずれた位置で、上方へ照明する。これにより、一方のＬＥＤ照明と他方のＬＥＤ照明とが水平方向における同じ位置に配設された構成に比べて、室内のより広い範囲に対して広がりをもって照明することができる。
【００１１】
本発明の請求項４に係る照明装置は、前記一方のＬＥＤ照明は、前記照明装置本体において前記壁面へ設置される設置部側に配設され、前記他方のＬＥＤ照明は、前記照明装置本体において前記設置部から離れた側に配設されている。
この構成によれば、一方のＬＥＤ照明は、壁面へ設置される設置部側で下方へ照明する。このように、一方のＬＥＤ照明が室内において壁面寄りに配設されるため、一方のＬＥＤ照明からの光が壁面へ照射されやすく、壁面で反射することで、室内のより広い範囲に対して広がりをもって照明することができる。また、一方のＬＥＤ照明が室内において壁面寄りに配設されることで、一方のＬＥＤ照明の光が、直接、人の目に入りにくい。
また、他方のＬＥＤ照明は、設置部から離れた位置で上方へ照明する。このように、他方のＬＥＤ照明が、一方のＬＥＤ照明の配設位置に比べ、室内において中央寄り配設されるので、天井へ向けて室内の全体を照明できる。これにより、室内のより広い範囲に対して広がりをもって照明することができる。
【００１２】
本発明の請求項５に係る照明装置は、前記照明装置本体の各外周面に対して内周側にそれぞれが引っ込んだ複数の段部が、前記照明装置本体に形成され、前記複数のＬＥＤ照明は、前記複数の段部のそれぞれに配設されている。
この構成によれば、ＬＥＤ照明が、外周面に対して内周側に引っ込んだ段部に設けられているので、ＬＥＤ照明が段部に設けられない場合に比べ、ＬＥＤ照明が照明装置本体によって隠され、ＬＥＤ照明の光が直接、人の目に入りにくい。
【００１５】
本発明の請求項６に係る照明装置は、前記照明装置本体は、平面視にてＬ字状に形成され、前記室内のコーナー部の壁面に設置可能とされている。
【００１６】
この構成によれば、室内のコーナー部に対しても照明装置本体を設置することができる。これにより、室内のコーナー部において室内のより広い範囲に対して広がりをもって照明をすることができる。
【００１７】
本発明の請求項７に係る照明装置は、前記照明装置本体は、平面視にてＬ字状に形成され前記室内のコーナー部の壁面に設置可能とされた第１照明装置本体と、前記第１照明装置本体に連結され前記室内の平面状の壁面に対して前記第１照明装置本体に連続して設置可能とされた第２照明装置本体と、を有して構成されている。
【００１８】
この構成によれば、室内のコーナー部に対して第１照明装置本体を設置すると共に、室内の平面状の壁面に対して第１照明装置本体に連続して第２照明装置本体を設置することができる。このように、請求項７の構成によれば、室内の側壁の全周にわたって照明装置本体を設置することができ、室内の全体のより広い範囲に対して広がりをもって照明することができる。
【００１９】
本発明の請求項８に係る照明装置は、複数の前記ＬＥＤ照明のうち、点灯するＬＥＤ照明を選択可能な選択手段を備える。
【００２０】
この構成によれば、選択手段が、複数のＬＥＤ照明のうち、点灯するＬＥＤ照明を選択できる。これにより、室内の広い範囲に対して照明したり、室内の狭い範囲に対して照明したりすることができる。
【００２１】
本発明の請求項９に係る照明装置は、前記ＬＥＤ照明は、寒色系の光を発する寒色系光源と、暖色系の光を発する暖色系光源と、を有し、前記寒色系光源及び前記暖色系光源のうち、点灯する光源を選択可能な選択手段を備える。
【００２２】
この構成によれば、選択手段が、照明手段が有する寒色系光源及び暖色系光源のうち、点灯する光源を選択できる。これにより、照明手段が照明する光の色によって、室内において温かみや涼しさを演出することができる。
【発明の効果】
【００２３】
本発明は、上記構成としたので、室内のより広い範囲に対して広がりをもって照明することができる。
【図面の簡単な説明】
【００２４】
【図１】第１実施形態に係る照明装置を概略的に示す斜視図である。
【図２】第１実施形態に係る照明装置を概略的に示す側断面図である。
【図３】図２に示す構成において、上板を取り外した状態を示す側断面図である。
【図４】図１に示す構成において、上方を照明するＬＥＤ照明と下方を照明するＬＥＤ照明とを点灯した状態を示す斜視図である。
【図５】図１に示す構成において、上方を照明するＬＥＤ照明のみを点灯した状態を示す斜視図である。
【図６】図１に示す構成において、下方を照明するＬＥＤ照明のみを点灯した状態を示す斜視図である。
【図７】第２実施形態に係る照明装置を概略的に示す側断面図である。
【図８】第３実施形態に係る照明装置を概略的に示す側断面図である。
【図９】第４実施形態に係る照明装置を概略的に示す斜視図である。
【図１０】第４実施形態に係る照明装置を概略的に示す側断面図である。
【図１１】第５実施形態に係る照明装置を概略的に示す側断面図である。
【図１２】第６実施形態に係る照明装置を概略的に示す側断面図である。
【図１３】第６実施形態に係る照明装置を概略的に示す斜視図である。
【図１４】第６実施形態の構成を第５実施形態の構成に適用した例を示す側断面図である。
【図１５】第７実施形態に係る照明装置を概略的に示す斜視図である。
【図１６】第７実施形態に係る照明装置において、各第１照明装置本体及び各第２照明装置本体を分解した分解斜視図である。
【図１７】第７実施形態に係る照明装置において、各第１照明装置本体と各第２照明装置本体とを連結する構造を示す斜視図である。
【図１８】第７実施形態に係る照明装置において、各第１照明装置本体と各第２照明装置本体とを連結する構造を示す側断面図である。
【図１９】図１５に示す構成において、上方を照明するＬＥＤ照明と下方を照明するＬＥＤ照明とを点灯した状態を示す斜視図である。
【図２０】図１５に示す構成において、上方を照明するＬＥＤ照明のみを点灯した状態を示す斜視図である。
【図２１】図１５に示す構成において、室内の１辺の壁面のみで下方を照明するＬＥＤ照明を点灯した状態を示す斜視図である。
【図２２】図１５に示す構成において、カーテンに対してＬＥＤ照明で照明した状態を示す斜視図である。
【発明を実施するための形態】
【００２５】
以下に、本発明に係る実施形態の一例を図面に基づき説明する。
［第１実施形態］
（第１実施形態に係る照明装置）
まず、第１実施形態に係る照明装置を説明する。図１は、第１実施形態に係る照明装置を概略的に示す斜視図である。
【００２６】
照明装置１０は、図１に示すように、室内１００の壁面１０２に設置可能とされた直方体形状の照明装置本体１２を備えている。以下の説明では、照明装置１０において、天井１０８側を上方（上部）とし、床１０９側を下方（下部）とし、壁面１０２に設置される側の側方を後方（後部）とし、その反対側を前方（前部）とし、この前後方向に直交する側方を左方向（左部）・右方向（右部）として説明する。なお、照明装置１０における前後・左右は、説明の便宜上定めたものであり、これに限定されるものではない。
【００２７】
照明装置本体１２は、図２に示すように、壁面１０２側に配置される後板１４と、床１０９側に配置される下板１６と、天井１０８側に配置される上板１８と、壁面１０２と離れた側に配置される前板２０と、照明装置本体１２の左部を構成する側板１９（図１参照）と、照明装置本体１２の右部を構成する側板２１（図１参照）と、を備えている。
【００２８】
このように、照明装置本体１２が後板１４、下板１６、上板１８、前板２０、側板１９及び側板２１を備えることによって、照明装置本体１２は、異なる方向を向く複数の外周面で囲まれて構成されている。なお、照明装置本体１２は、異なる方向を向く複数の外周面で囲まれていればよいので、６面体である必要は無く、６面体以外の多面体であってもよい。
【００２９】
後板１４は、下板１６と一体に形成されており、下板１６とで断面Ｌ字状をなしている。後板１４には、固定部材としての固定ネジ２２が挿通される複数の貫通孔２４が形成されている。貫通孔２４は、後板１４の上部及び下部に形成されている。この貫通孔２４に挿通された固定ネジ２２によって、後板１４は壁面１０２に接触した状態で固定されるようになっている。すなわち、後板１４は、壁面１０２へ設置される設置部として機能する。
【００３０】
また、後板１４は、上部の板厚が下部の板厚よりも薄くされている。これにより、後板１４の上部の前方側には、段部１４Ａが形成されている。段部１４Ａは、前方を向く前面１５Ａと、上方を向く上面１５Ｂとを有している。
【００３１】
下板１６は、後部の板厚が前部の板厚よりも薄くされている。これにより、下板１６の後部の下方側には、下板１６の外周面（下面）１６Ｂに対して内周側に引っ込んだ段部１６Ａが形成されている。段部１６Ａは、下方を向く下面１７Ａと、後方を向く後面１７Ｂとを有している。
【００３２】
下板１６の段部１６Ａには、透過部材としての透過パネル２８が設けられている。透過パネル２８は、断面Ｌ字状に形成されており、段部１６Ａの下面１７Ａとの間に隙間を有する下パネル２８Ａと、段部１６Ａの後面１７Ｂとの間に隙間を有する後パネル２８Ｂと、を有している。これにより、下板１６の段部１６Ａと透過パネル２８との間には、ＬＥＤ照明２６が収容される収容空間が形成されている。この収容空間は、段部１６Ａの後面１７Ｂ・下面１７Ａ及び透過パネル２８の下パネル２８Ａ・後パネル２８Ｂで囲まれた空間とされている。
【００３３】
この収容空間には、下板１６の外周面（下面）１６Ｂの外周側（下側）を向くように、ＬＥＤ照明２６が段部１６Ａの下面１７Ａに配設されている。ＬＥＤ照明２６は、具体的には、照明装置本体１２において、壁面１０２へ設置される設置部としての後板１４側に配設されている。
【００３４】
収容空間に収容されたＬＥＤ照明２６及び段部１６Ａは、透過パネル２８に覆われている。これにより、ＬＥＤ照明２６から照射された光は、透過パネル２８を透過して下方へ達し、下板１６の外周面（下面）１６Ｂの外周側（下側）を照明するようになっている。
【００３５】
なお、透過パネル２８の下パネル２８Ａの外周面（下面）は、下板１６の外周面（下面）１６Ｂの同一面上に配置されており、下パネル２８Ａの外周面と下板１６の外周面１６Ｂとで、一続きの平面をなしている。
【００３６】
下板１６の段部１６Ａには、ピクチャーレール３０が透過パネル２８の後方位置に配置されている。ピクチャーレール３０には、図１に示すように、絵画１２０等を吊り下げることができる。なお、ピクチャーレール３０は設けなくてもよい。
【００３７】
上板１８は、下板１６に対して間隔をおいて上方に配置されている。上板１８の後部には、上方へ突出する突出片１８Ｂが形成されている。
【００３８】
突出片１８Ｂを含む上板１８の後面は、後板１４の段部１４Ａの前面１５Ａに接触している。これにより、突出片１８Ｂは、後板１４に重ねられている。突出片１８Ｂには、後板１４の貫通孔２４と連通する貫通孔３２が形成されている。上板１８は、後板１４の貫通孔２４及び突出片１８Ｂの貫通孔３２に挿し通された固定ネジ２２によって、壁面１０２に固定される。
【００３９】
上板１８は、前部の板厚が後部の板厚よりも薄くされている。これにより、上板１８の前部の上方側には、上板１８の外周面（上面）１８Ｃに対して内周側に引っ込んだ段部１８Ａが形成されている。段部１８Ａは、上方を向く上面１９Ａと、前方を向く前面１９Ｂとを有している。
【００４０】
上板１８の段部１８Ａには、透過部材としての透過パネル３４が設けられている。この透過パネル３４は、段部１８Ａの上面１９Ａとの間に隙間を有している。これにより、段部１８Ａの上面１９Ａと透過パネル３４との間には、ＬＥＤ照明３６が収容可能な収容空間が形成されている。この収容空間には、上板１８の外周面（上面）１８Ｃの外周側（上側）を向くように、ＬＥＤ照明３６が段部１８Ａの上面１９Ａに配設されている。ＬＥＤ照明３６は、具体的には、照明装置本体１２において、設置部としての後板１４から離れた前板２０側に配設されている。すなわち、ＬＥＤ照明３６は、ＬＥＤ照明２６に対して水平方向にずれた位置に配設されている。
【００４１】
上記の収容空間に配設されたＬＥＤ照明３６及び段部１８Ａは、透過パネル３４に覆われている。これにより、ＬＥＤ照明３６から照射された光は、透過パネル３４を透過して上方へ達し、上板１８の外周面（上面）１８Ｃの外周側（上側）を照明するようになっている。なお、透過パネル３４の外周面（上面）は、上板１８の外周面（上面）１８Ｃの同一面上に配置されており、透過パネル３４の外周面と上板１８の外周面とで、一続きの平面をなしている。
【００４２】
上板１８の上面１８Ｃ及び透過パネル３４の上面には、図１に示すように、荷物１２２を載せることが可能となっている。すなわち、照明装置本体１２は、棚として利用できるようになっている。
【００４３】
前板２０の後面における上下方向中央部には、上板１８と下板１６との間に嵌合する凸部２０Ａが形成されており、前板２０は、凸部２０Ａが上板１８と下板１６との間に嵌合することで、上板１８及び下板１６に固定されている。
【００４４】
また、上板１８は、図３に示すように、後板１４の貫通孔２４及び突出片１８Ｂの貫通孔３２から固定ネジ２２と取り外すと共に、上方へ持ち上げることにより、前板２０及び後板１４に対して取り外せるようになっている。すなわち、上板１８は、前板２０及び後板１４に対して着脱可能に取り付けられている。
【００４５】
さらに、上板１８と下板１６との間の空間には、ＬＥＤ照明２６及びＬＥＤ照明３６の明るさを調節する調光器３８が設けられている。調光器３８は、配線４０によってＬＥＤ照明２６及びＬＥＤ照明３６と、電源としての蓄電池４４とに電気的に接続されている。
【００４６】
蓄電池４４には、発電手段の一例としての太陽光パネル（図示省略）によって発電された電気が貯められるようになっている。これにより、昼間に太陽光パネルによって発電して蓄電池４４に電気を貯め、夜には、蓄電池４４に貯めた電力によって、ＬＥＤ照明２６及びＬＥＤ照明３６で照明することができる。
【００４７】
配線４０は、照明装置本体１２内を通ると共に、後板１４から壁面１０２を通じて壁内を配される。すなわち、配線４０は、照明装置本体１２の外部及び壁面１０２の外部へ露出しないようになっている。
【００４８】
配線４０上には、図２に示すように、点灯するＬＥＤ照明を選択可能な選択手段として、ＬＥＤ照明２６及びＬＥＤ照明３６のそれぞれをオンオフするためのスイッチ４２が設けられている。従って、スイッチ４２の操作により、ＬＥＤ照明２６及びＬＥＤ照明３６の両方の点灯、ＬＥＤ照明２６及びＬＥＤ照明３６の両方の消灯、ＬＥＤ照明２６のみの点灯、ＬＥＤ照明３６のみの点灯の４つの態様で、室内１００の照明ができるようになっている。
【００４９】
（第１実施形態の作用）
次に、第１実施形態について作用を説明する。
【００５０】
第１実施形態に係る照明装置１０によれば、スイッチ４２の操作により、図２に示すように、ＬＥＤ照明２６及びＬＥＤ照明３６の両方が点灯すると、ＬＥＤ照明２６からの光が、透過パネル２８を透過して下方へ照射される。また、ＬＥＤ照明３６からの光が、透過パネル３４を透過して上方へ照射される（図４参照）。
【００５１】
このように、ＬＥＤ照明２６とＬＥＤ照明３６とは、照明装置本体１２の外周側に向けて異なる方向へ照明する。これにより、１つの照明により室内１００の一方にのみ光を照明する構成に比べて、室内１００のより広い範囲に対して広がりをもって照明することができる。すなわち、本実施形態の構成によれば、空間を照らす建築物としての照明装置を提供できる。
【００５２】
また、本実施形態では、スイッチ４２の操作により、図１に示すように、ＬＥＤ照明２６及びＬＥＤ照明３６の両方を消灯させることができる。また、図５に示すように、ＬＥＤ照明３６のみの点灯させることで、上方のみへ光を照射することができる。また、図６に示すように、ＬＥＤ照明２６のみの点灯させることで、下方のみへ光を照射することができる。これにより、さまざまなシーンに対応させて、室内１００の照明ができる。
【００５３】
また、本実施形態では、透過パネル２８が段部１６Ａを覆うと共に透過パネル３４が段部１８Ａを覆うことにより、段部１６Ａの段差及び段部１８Ａの段差が照明装置本体１２の外部から視認されないので、照明装置１０がすっきりとしたデザインとなり、見栄えが良い。また、ピクチャーレール３０が、透過パネル２８の内周側に納まっているので、これによっても、照明装置１０がすっきりとしたデザインとなり、見栄えが良い。
【００５４】
また、本実施形態では、ＬＥＤ照明２６及びＬＥＤ照明３６からの光が、それぞれ、透過パネル２８、透過パネル３４を透過するので、透過パネル２８、透過パネル３４によって光をやわらげたり、拡散させたりすることができる。また、ＬＥＤ照明２６・段部１６Ａ及びＬＥＤ照明３６・段部１８Ａのそれぞれが、透過パネル２８・透過パネル３４で覆われるので、ＬＥＤ照明２６・段部１６Ａ及びＬＥＤ照明３６・段部１８Ａにほこり等が溜まりにくい。
【００５５】
このように、ＬＥＤ照明２６及びＬＥＤ照明３６が、それぞれ、透過パネル２８・透過パネル３４で覆われると共に、ＬＥＤ照明２６及びＬＥＤ照明３６が、それぞれ、下板１６の段部１６Ａ、上板１８の段部１８Ａに設けられているので、ＬＥＤ照明２６及びＬＥＤ照明３６が直接、人の目に入りにくい。
【００５６】
また、本実施形態では、ＬＥＤ照明２６が、壁面１０２側で下方へ照明する。このため、ＬＥＤ照明２６からの光が壁面１０２で反射することで、室内１００のより広い範囲に対して広がりをもって照明することができる。また、ＬＥＤ照明２６が室内１００において壁面１０２寄りに配設されることで、ＬＥＤ照明２６の光が、直接、人の目に入りにくい。
【００５７】
また、ＬＥＤ照明３６は、ＬＥＤ照明２６から水平方向にずれた位置であって、かつ、壁面１０２から離れた位置で上方へ照明する。このように、ＬＥＤ照明３６が、ＬＥＤ照明２６の配設位置に比べ、室内１００において中央寄り配設されるので、天井１０８へ向けて室内１００の全体を照明できる。これにより、室内１００のより広い範囲に対して広がりをもって照明することができる。
【００５８】
さらに、本実施形態では、上板１８の突出片１８Ｂの貫通孔３２に挿し通された固定ネジ２２を取外し、図３に示すように、上板１８を上方へ取外すことができる。これにより、上板１８と下板１６との間にある調光器３８等の内部部品の保守点検や交換ができる。
【００５９】
なお、第１実施形態では、照明装置本体１２の上下２面において照明する構成とされていたが、後述の第３実施形態に示すように、照明装置本体１２の外周面の３面以上において照明する構成であってもよい。また、照明装置本体１２の外周面において、照明する箇所は、上面、下面、前面、左右側の側面のうちの少なくとも２面が選択されていれば良い。
【００６０】
また、第１実施形態は、ＬＥＤ照明２６が照明装置本体１２において後板１４側に配設され、ＬＥＤ照明３６が照明装置本体１２において前板２０側に配設される構成であったが、ＬＥＤ照明２６とＬＥＤ照明３６とが、水平方向にずれる方向は任意であり、例えば、左右方向にずれていても良く、また、ＬＥＤ照明２６が前方側に配設され、ＬＥＤ照明３６が後方側に配設される構成であってもよい。
【００６１】
また、第１実施形態では、ＬＥＤ照明３６がＬＥＤ照明２６に対して水平方向にずれた位置に配設される構成であったが、水平方向において重なった位置に配設されていてもよい。
【００６２】
また、第１実施形態では、ＬＥＤ照明２６、３６がそれぞれ、段部１６Ａ、１８Ａに配設されていたが、それぞれ、上板１８の外周面（上面）１８Ｃ、下板１６の外周面（下面）１６Ｂに配設されていても良い。また、ＬＥＤ照明２６、３６は、それぞれ、上板１８の外周面（上面）１８Ｃ、下板１６の外周面（下面）１６Ｂに形成された凸部に設けられていても良い。
【００６３】
また、透過パネル２８、３４が設けられず、ＬＥＤ照明２６、３６が露出する構成であっても良い。
【００６４】
［第２実施形態］
次に、第２実施形態に係る照明装置２００について説明する。図７は、第２実施形態に係る照明装置２００を概略的に示す側断面図である。なお、第１実施形態と同一に構成された部分については、同一符号を付して、適宜、説明を省略する。
第１実施形態は、スイッチ４２の操作により、ＬＥＤ照明２６及びＬＥＤ照明３６の点灯及び消灯が操作される構成であったが、第２実施形態は、点灯するＬＥＤ照明を選択可能な選択手段としての制御部４６によりＬＥＤ照明２６及びＬＥＤ照明３６の点灯及び消灯が自動的になされる構成とされている。
制御部４６は、図７に示すように、配線４０によって、調光器３８を介してＬＥＤ照明２６及びＬＥＤ照明３６にそれぞれ接続されている。
制御部４６の制御条件としては、例えば、室内１００における室内照度、屋外における屋外照度、室内照度と屋外照度との関係、室内１００における人の有無、及びスケジュールがある。
具体的には、室内照度を測定する室内照度計、屋外照度を測定する屋外照度計の少なくとも一方を設置し、例えば、その照度計の測定結果が基準となる照度に達しない場合に、制御部４６がＬＥＤ照明２６及びＬＥＤ照明３６の少なくとも一方を点灯する構成とされる。なお、室内照度計及び屋外照度計の両方を設置し、室内照度と屋外照度とを比較し、その比較結果に基づき、制御部４６がＬＥＤ照明２６及びＬＥＤ照明３６の点灯を制御する構成であってもよい。
また、室内１００における人の有無を検知する人感センサを室内１００に設置し、例えば、室内１００に人がいる場合に、制御部４６がＬＥＤ照明２６及びＬＥＤ照明３６の少なくとも一方を点灯する構成とされる。
また、制御部４６には、一日のスケジュール（時間帯）が記憶されており、例えば、１日の時間帯に対応させて、自動的に、ＬＥＤ照明２６及びＬＥＤ照明３６を動作させる構成とされる。制御部４６は、例えば、朝及び昼間においてＬＥＤ照明２６及びＬＥＤ照明３６の両方を消灯し、夕方において、ＬＥＤ照明２６及びＬＥＤ照明３６の両方を点灯し、夜間において、ＬＥＤ照明３６のみを点灯する構成とされる。なお、一日のスケジュール（時間帯）は、季節に応じた日照時間によって補正するようにしてもよい。
【００６５】
［第３実施形態］
次に、第３実施形態に係る照明装置３００について説明する。図８は、第３実施形態に係る照明装置３００を概略的に示す図である。なお、第１実施形態と同一に構成された部分については、同一符号を付して、適宜、説明を省略する。
【００６６】
第１実施形態は、ＬＥＤ照明２６及びＬＥＤ照明３６が単色の光源を備える構成であったが、第３実施形態では、ＬＥＤ照明２６及びＬＥＤ照明３６がそれぞれ、寒色系の光を発する寒色系光源３０２と、暖色系の光を発する暖色系光源３０４と、を有する構成とされている。
【００６７】
第３実施形態では、寒色系光源３０２は、具体的には、青色の光を照射するＬＥＤ光源で構成されている。暖色系光源３０４は、具体的には、オレンジ色の光を照射するＬＥＤ光源で構成されている。照明装置３００では、制御部４６は、寒色系光源３０２及び暖色系光源３０４のうち、点灯する光源を選択可能な選択手段として機能する。すなわち、制御部４６は、寒色系光源３０２及び暖色系光源３０４のそれぞれを所定のタイミングで動作させる構成となっている。
【００６８】
制御部４６が寒色系光源３０２及び暖色系光源３０４のそれぞれを動作させる所定タイミングは、具体的には、室内１００の気温が、所定温度に達するタイミングである。寒色系光源３０２における所定温度は、暖色系光源３０４における所定温度よりも高い温度に設定され、寒色系光源３０２と暖色系光源３０４とは、異なるタイミングで動作されるようになっている。
【００６９】
本実施形態では、室内１００の温度計（図示省略）が測定した温度情報が、制御部４６に入力されるようになっている。
【００７０】
制御部４６は、入力された入力温度と、予め設定された基準温度とを比較して、入力温度が基準温度以上である場合には、寒色系光源３０２を動作させ、基準温度未満である場合には、暖色系光源３０４を動作させる。基準温度は、例えば、２３℃とされる。すなわち、この例では、室内１００の気温が２３℃以上に達するタイミングで、寒色系光源３０２が動作され、室内１００の気温が２３℃未満に達するタイミングで、暖色系光源３０４が動作される。
【００７１】
これにより、気温が比較的に高いときに、寒色系光源３０２の照明により涼しさを演出でき、気温が比較的に低いときに、暖色系光源３０４の照明により温かみを演出できる。
【００７２】
なお、上記の基準温度は、２３℃である場合に限られず、任意の温度に設定することが可能である。また、暖色系の色としては、例えば、赤や黄色であっても良く、寒色系の色としては、例えば、紫であっても良く、光の色を任意に決めることが可能である。
【００７３】
また、制御部４６は、予め記憶された一日のスケジュール（時間帯）に基づいて、自動的に、寒色系光源３０２及び暖色系光源３０４のそれぞれを動作させる構成であってもよい。制御部４６は、例えば、早朝において寒色系光源３０２を動作させ、昼間において寒色系光源３０２及び暖色系光源３０４のいずれも動作せず、夕方において暖色系光源３０４を動作させる。なお、一日のスケジュール（時間帯）は、季節に応じた日照時間によって補正するようにしてもよい。
【００７４】
また、一日の時間帯ではなく、季節に応じて、寒色系光源３０２及び暖色系光源３０４を動作させる構成であってもよい。例えば、夏において、寒色系光源３０２を動作させ、冬において、暖色系光源３０４を動作させる。
なお、第３実施形態の構成は、制御部４６の制御に替えて、スイッチ４２の操作により、寒色系光源３０２及び暖色系光源３０４の切り替えを行う構成であっても良い。
【００７５】
［第４実施形態］
次に、第４実施形態に係る照明装置４００について説明する。図９は、第４実施形態に係る照明装置４００を概略的に示す斜視図であり、図１０は、第４実施形態に係る照明装置４００を概略的に示す側断面図である。なお、第１実施形態と同一に構成された部分については、同一符号を付して、適宜、説明を省略する。
【００７６】
第１実施形態は、固定ネジ２２によって照明装置本体１２を直接壁面１０２に固定される構成であったが、第４実施形態では、固定ネジ２２等の固定部材の着脱作業をすることなく照明装置本体１２が壁面１０２に対して着脱される構成とされている。
【００７７】
具体的には、図９及び図１０に示すように、第４実施形態に係る照明装置４００は、照明装置本体１２に設けられた被固定手段としての引掛孔４４２と、壁面１０２に設けられた固定手段としての金具４４４と、を備えている。
【００７８】
金具４４４は、壁面１０２に対してその水平方向に沿って複数設けられている。各金具４４４は、壁面１０２に固定ネジ４４８によって固定される板状の本体４４４Ａと、本体４４４Ａの上下方向中央部及び下部のそれぞれに一体的に形成され引掛孔４４２が引っ掛けられるフック４４４Ｂと、を備えている。
【００７９】
引掛孔４４２は、フック４４４Ｂに対応して、上下一対が一組として照明装置本体１２の後板１４に形成されている。また、引掛孔４４２は、上下一対が、金具４４４に対応して、後板１４の水平方向に沿って複数組設けられている。
【００８０】
この構成によれば、照明装置本体１２の引掛孔４４２を、壁面１０２のフック４４４Ｂに引っ掛かることで、照明装置本体１２が壁面１０２に着脱可能に設置される。そして、引掛孔４４２をフック４４４Ｂから取外すことで、固定部材の着脱作業をすることなく、照明装置本体１２を壁面１０２から取り外せる。
【００８１】
なお、図１０に示すように、照明装置本体１２に設けられたＬＥＤ照明２６・ＬＥＤ照明３６・調光器３８等の部品に対しての配線４０は、例えば、引掛孔４４２を挿通することにより配される。すなわち、引掛孔４４２は、配線挿通用の孔を兼用させることができる。
【００８２】
照明装置本体１２に設けられた被固定手段としては、引掛孔４４２に限られず、例えば、フック等の他の被固定部材であっても良い。また、壁面１０２に設けられた固定手段としては、金具４４４に限られず、他の固定部材を用いても良い。また、第４実施形態の構成は、第２実施形態の構成、第３実施形態の構成に対して適用しても良い。
【００８３】
［第５実施形態］
次に、第５実施形態に係る照明装置５００について説明する。図１１は、第５実施形態に係る照明装置５００を概略的に示す側断面図である。なお、第１実施形態と同一に構成された部分については、同一符号を付して、適宜、説明を省略する。
【００８４】
第１実施形態では、照明装置本体１２の上下２面において照明する構成とされていたが、第５実施形態では、上下２面に前面を加えた３面で照明する構成とされている。
【００８５】
具体的には、図１１に示すように、第５実施形態に係る照明装置５００は、第１実施形態における前板２０に替えて、照明装置本体１２の前面よりも後方側へ一段下がった段部を構成する取付板５０２と、取付板５０２に取り付けられたＬＥＤ照明５０４と、ＬＥＤ照明５０４の光照射側でＬＥＤ照明５０４及び取付板５０２を覆うように照明装置本体１２の前面に設けられた透過パネル５０６と、を備えている。ＬＥＤ照明５０４は、配線４０によって調光器３８と電気的に接続されている。
【００８６】
この構成によれば、ＬＥＤ照明５０４からの光は、透過パネル５０６を透過して前方へ照射される。このように、ＬＥＤ照明５０４とＬＥＤ照明２６とＬＥＤ照明３６とは、照明装置本体１２の外周側に向けて異なる方向へ照明する。これにより、さらに、室内１００のより広い範囲に対して広がりをもって照明することができる。
【００８７】
なお、第５実施形態に係る照明装置５００は、前板２０を除いて、第１実施形態に係る照明装置１０と各部品が共通化されている。また、取付板５０２・ＬＥＤ照明５０４・透過パネル５０６を、上板１８及び下板１６に対して着脱可能に設けて、第１実施形態における前板２０と付け替え可能に構成しても良い。
【００８８】
さらに、透過パネル５０６は、上板１８に設けられた透過パネル３４と一体に形成されていても良い。さらに、第５実施形態の構成は、第２実施形態〜第４実施形態の構成に対して適用しても良い。
【００８９】
［第６実施形態］
次に、第６実施形態に係る照明装置６００について説明する。図１２は、第６実施形態に係る照明装置６００を概略的に示す側断面であり、図１３は、第６実施形態に係る照明装置６００を概略的に示す斜視図である。なお、第１実施形態と同一に構成された部分については、同一符号を付して、適宜、説明を省略する。
【００９０】
第１実施形態は、ピクチャーレール３０が照明装置本体１２に設けられた構成であったが、第６実施形態では、カーテンレール６０２・６０４が照明装置本体１２に設けられた構成とされている。
【００９１】
具体的には、図１２に示すように、第６実施形態に係る照明装置６００は、透過パネル２８及びピクチャーレール３０に替えて、２本のカーテンレール６０２・６０４を備えている。ＬＥＤ照明２６は、側断面視にて、２本のカーテンレール６０２・６０４の間に配置されている。ＬＥＤ照明２６は、カーテンレール６０２・６０４のそれぞれに取り付けられた場合におけるカーテン１１２（図１３参照）に対して光を照射可能とされている。具体的には、ＬＥＤ照明２６は、窓１１４側に配置されるカーテンレール６０２に取り付けられたカーテン１１２に対してその室内１００側の面に光を照射し、室内１００側に配置されるカーテンレール６０４に取り付けられたカーテン１１２に対してその室外（窓１１４）側の面に光を照射するようになっている。第６実施形態では、図１２及び図１３に示すように、照明装置本体１２が窓１１４上部の壁面１０２に固定されている。
【００９２】
なお、第６実施形態では、透過パネル２８が設けられておらず、ＬＥＤ照明２６が露出した状態となっている。また、第６実施形態に係る照明装置６００では、カーテンレール６０２・６０４を除いて、第１実施形態に係る照明装置１０と各部品が共通化されている。
【００９３】
この構成によれば、窓１１４側のカーテンレール６０２に取り付けられるカーテン１１２に光を照射してそのカーテン１１２を明るくすることで、薄手のカーテンを用いた場合であっても、室外側から室内１００を見にくくすることができる。また、室内１００側のカーテンレール６０４に取り付けられるカーテン１１２に光を照射して、そのカーテン１１２を明るくすることで、カーテン１１２を照明の一部として用いることができる。
【００９４】
なお、第６実施形態の構成は、図１４に示すように、取付板５０２・ＬＥＤ照明５０４・透過パネル５０６を備える第５実施形態の構成に対して適用しても良い。また、第６実施形態の構成は、第２実施形態〜第４実施形態の構成に対して適用しても良い。
【００９５】
［第７実施形態］
次に、第７実施形態に係る照明装置７００について説明する。図１５〜図２２は、第７実施形態に係る照明装置７００を概略的に示す図である。なお、第１実施形態と同一に構成された部分については、同一符号を付して、適宜、説明を省略する。
【００９６】
第１実施形態は、室内１００の壁面１０２の一面のみに、照明装置本体１２が設置される構成であったが、第７実施形態では、室内１００の隣り合う壁面１０２の複数面に渡って、照明装置本体１２が設置される構成とされている。
【００９７】
具体的には、図１５及び図１６に示すように、第７実施形態に係る照明装置７００は、Ｌ字状に形成され室内１００のコーナー部の壁面１０２に設置可能とされた第１照明装置本体７０２と、第１照明装置本体７０２に組み合わせられて室内１００の平面状の壁面１０２に第１照明装置本体７０２に連続して設置可能とされた第２照明装置本体７０４と、を備えている。
【００９８】
さらに具体的には、第７実施形態に係る照明装置７００は、第２照明装置本体７０４として、窓１１４上部に設置された第２照明装置本体７０４Ａと、窓１１４に対向する壁面１０２に設置された第２照明装置本体７０４Ｃと、窓１１４に対して垂直に配置された壁面１０２に設置された第２照明装置本体７０４Ｂと、を備えている。
【００９９】
第２照明装置本体７０４Ａは、第４実施形態に係る照明装置本体１２（照明装置４００）と同一に構成されており、第２照明装置本体７０４Ｂ・７０４Ｃは、第１実施形態に係る照明装置本体１２（照明装置１０）と同一に構成されているので、ここでは、説明を省略する。
【０１００】
また、第７実施形態に係る照明装置７００は、第１照明装置本体７０２として、第２照明装置本体７０４Ａと第２照明装置本体７０４Ｂとの間でこれらに組み合わせられる第１照明装置本体７０２Ａと、第２照明装置本体７０４Ｂと第２照明装置本体７０４Ｃとの間でこれらに組み合わせられる第１照明装置本体７０２Ｂとを備えている。
【０１０１】
第１照明装置本体７０２Ａ及び第１照明装置本体７０２Ｂは、平面視にてＬ字状とされる点を除けば、第１実施形態に係る照明装置本体１２（照明装置１０）と同様に構成されている。
【０１０２】
各第１照明装置本体７０２と、各第２照明装置本体７０４とは、図１７及び図１８に示すように、連結具としての連結金具７０８によって連結されている。連結金具７０８は、側面視にてコの字状に形成されたクリップで構成されており、互いに対向する側板７０８Ｂには、互いが対向する側に突出する凸部７０８Ａが形成されている。
【０１０３】
各第１照明装置本体７０２の側板７０５Ａの内壁及び各第２照明装置本体７０４の側板７０６Ａの内壁には、それぞれ、連結金具７０８の凸部７０８Ａが嵌り込む凹部としての係合溝７０３が形成されている。連結金具７０８が、各第１照明装置本体７０２の側板７０５Ａ及び各第２照明装置本体７０４の側板７０６Ａにまたがって、その上部に取り付けられ、連結金具７０８の凸部７０８Ａが係合溝７０３に嵌り込むことで、側板７０５Ａ及び側板７０６Ａを着脱可能に挟持する。これにより、各第１照明装置本体７０２と各第２照明装置本体７０４とが連結されるようになっている。
【０１０４】
連結具７０８は、係合溝７０３から凸部７０８Ａが離脱されることで取り外せるので、各第１照明装置本体７０２と各第２照明装置本体７０４との連結及び分離が容易である。
また、凸部７０８Ａの係合溝７０３への嵌め込みにより各第１照明装置本体７０２と各第２照明装置本体７０４とを連結するので、連結具７０８を取り外しても、各第１照明装置本体７０２及び各第２照明装置本体７０４にビス孔等のあとが残らない。このため、再度、各第１照明装置本体７０２及び各第２照明装置本体７０４を使用しても、照明装置７００の見栄えを損なわない。
【０１０５】
また、第７実施形態の構成では、例えば、以下のように、シーンごとに照明を切り替えることができる。
【０１０６】
図１９に示すように、団欒や食事のシーンにおいて、各第１照明装置本体７０２及び各第２照明装置本体７０４におけるＬＥＤ照明２６及びＬＥＤ照明３６（図２参照）を全灯させる。また、図２０に示すように、くつろぐシーンにおいては、各第１照明装置本体７０２及び各第２照明装置本体７０４におけるＬＥＤ照明３６のみを点灯させる。また、図２１に示すように、読書やＴＶを鑑賞するシーンにおいては、室内１００の１辺の壁面１０２の第２照明装置本体７０４におけるＬＥＤ照明２６のみを点灯させる。また、図２２に示すように、外が暗くなる夜のシーンにおいては、窓１１４の第２照明装置本体７０４におけるＬＥＤ照明２６のみを点灯させて、カーテンに光をあてて外から室内１００を見えないようにする。
【０１０７】
このように、第７実施形態では、さまざまなシーンに合わせて、室内１００の広い範囲に対して照明したり、室内１００の狭い範囲に対して照明したりすることができる。
【０１０８】
なお、上記のように、各第１照明装置本体７０２及び各第２照明装置本体７０４におけるＬＥＤ照明３６が、全灯又は、全消灯させる構成では、各ＬＥＤ照明３６に対して共通の回路で設置することができる。また、上記のように、各第１照明装置本体７０２及び各第２照明装置本体７０４におけるＬＥＤ照明３６は、室内１００の壁面１０２ごとに切り替える場合には、各ＬＥＤ照明２６に対して別回路とする必要がある。
【０１０９】
また、第７実施形態では、室内１００の３辺に対して、照明装置本体１２が設置されていたが、室内１００の４辺に対して設置される構成であっても良く、室内１００の隣り合う２辺に対して設置される構成であっても良いし、室内１００の１辺とそれに隣接するコーナー部との２か所に対して設置される構成であっても良い。
【０１１０】
さらに、第７実施形態の構成は、制御部４６によりＬＥＤ照明２６及びＬＥＤ照明３６の点灯及び消灯が自動的になされる第２実施形態の構成に対して適用しても良い。この場合においては、制御部４６は、各第２照明装置本体７０４及び各第１照明装置本体７０２におけるＬＥＤ照明２６、３６の点灯及び消灯を制御する。
【０１１１】
従って、制御部４６は、例えば、室内照度計及び屋外照度計に基づき、測定結果が基準となる照度に達しない場合に、各第２照明装置本体７０４及び各第１照明装置本体７０２におけるＬＥＤ照明２６、３６の少なくとも一方を点灯する構成とされる。また、制御部４６は、窓１１４からの所定量の日射があることを検知した場合には、窓１１４側の第２照明装置本体７０４Ａ及び第１照明装置本体７０２Ａを消灯し、第２照明装置本体７０４Ｂ・７０４Ｃ及び第１照明装置本体７０２Ｂを点灯するようにすることができる。
【０１１２】
また、制御部４６は、人感センサに基づく人の有無により、各第２照明装置本体７０４及び各第１照明装置本体７０２におけるＬＥＤ照明２６、３６の全灯又は全消灯させることができる。さらに、制御部４６は、人感センサに基づき、各第２照明装置本体７０４及び各第１照明装置本体７０２のうち、人がいる場所の近傍に設置されているものにおいて、ＬＥＤ照明２６、３６の点灯又は消灯させる構成であっても良い。
【０１１３】
さらに、制御部４６は、記憶されたスケジュールに基づき、例えば、朝及び昼間において、各第２照明装置本体７０４及び各第１照明装置本体７０２におけるＬＥＤ照明２６及びＬＥＤ照明３６の両方を消灯し、夕方において、各第２照明装置本体７０４及び各第１照明装置本体７０２におけるＬＥＤ照明２６及びＬＥＤ照明３６の両方を点灯し、夜間において、各第２照明装置本体７０４及び各第１照明装置本体７０２のいずれかにおけるＬＥＤ照明３６のみを点灯する構成とすることができる。
【０１１４】
また、第７実施形態の構成は、第３実施形態〜第５実施形態の構成に対して適用しても良い。本発明は、上記の実施形態に限るものではなく、種々の変形、変更、改良が可能である。
【符号の説明】
【０１１５】
１０   照明装置
１２   照明装置本体
１６Ａ 段部
１８Ａ 段部
２６   ＬＥＤ照明
２８   透過パネル（透過部材）
３４   透過パネル（透過部材）
３６   ＬＥＤ照明
４２   スイッチ（選択手段）
４６   制御部（選択手段）
１００ 室内
１０２ 壁面
１１２ カーテン
２００ 照明装置
３００ 照明装置
３０２ 寒色系光源
３０４ 暖色系光源
４００ 照明装置
５００ 照明装置
５０２ 取付板
５０４ ＬＥＤ照明
５０６ 透過パネル（透過部材）
６０２ カーテンレール
６０４ カーテンレール
７０２ 照明装置本体
７０４ 照明装置本体
７０８ 連結金具（連結具）
【図１】
0005568391.tif 000002
【図２】
0005568391.tif 000003
【図３】
0005568391.tif 000004
【図４】
0005568391.tif 000005
【図５】
0005568391.tif 000006
【図６】
0005568391.tif 000007
【図７】
0005568391.tif 000008
【図８】
0005568391.tif 000009
【図９】
0005568391.tif 000010
【図１０】
0005568391.tif 000011
【図１１】
0005568391.tif 000012
【図１２】
0005568391.tif 000013
【図１３】
0005568391.tif 000014
【図１４】
0005568391.tif 000015
【図１５】
0005568391.tif 000016
【図１６】
0005568391.tif 000017
【図１７】
0005568391.tif 000018
【図１８】
0005568391.tif 000019
【図１９】
0005568391.tif 000020
【図２０】
0005568391.tif 000021
【図２１】
0005568391.tif 000022
【図２２】
0005568391.tif 000023